(57)【要約】【課題】路上専有面積が小さいので運搬効率が良く、省スペース性、低コスト性、省資源性に優れた自転車運搬具又は自転車運搬装置の提供を目的とする。【解決手段】本発明の自転車運搬具又は自転車運搬装置は、カゴ台車のサイドフレームの上辺に連結する一対の連結部と、この一対の連結部間に架け渡される架橋バーと、この架橋バーから垂下し、自転車のリムに掛合可能な１又は複数の掛合フックとを備える自転車運搬具又は当該自転車運搬具とカゴ台車からなる自転車運搬装置である。架橋バーは、一対の連結部から上方に伸びる一対の垂直部と、この一対の垂直部間に架け渡される水平部とを有していると良い。架橋バーの両端は二又に分かれ、一対の逆Ｕ字溝体に結合されていると良い。掛合フックは架橋バーの軸方向にスライド可能に構成されていると良い。掛合フックはエラストマー材料で被覆されていると良い。【選択図】図５
2010095122.tif 000002
【特許請求の範囲】
【請求項１】
カゴ台車のサイドフレームの上辺に連結する一対の連結部と、
この一対の連結部間に架け渡される架橋バーと、
この架橋バーから垂下し、自転車のリムに掛合可能な１又は複数の掛合フックと
を備える自転車運搬具。
【請求項２】
上記架橋バーが、
一対の連結部から上方に伸びる一対の垂直部と、
この一対の垂直部間に架け渡される水平部と
を有している請求項１に記載の自転車運搬具。
【請求項３】
上記連結部が、直線状に配設され、下側からカゴ台車のサイドフレームの上辺が挿入可能な一対の逆Ｕ字溝体を有し、上記架橋バーの両端部が二又に分かれ、一対の逆Ｕ字溝体に結合されている請求項１又は請求項２に記載の自転車運搬具。
【請求項４】
上記掛合フックが、架橋バーに対して、軸方向にスライド可能に構成されている請求項１、請求項２又は請求項３に記載の自転車運搬具。
【請求項５】
上記掛合フックがエラストマー材料で被覆されている請求項１から請求項４のいずれか１項に記載の自転車運搬具。
【請求項６】
請求項１から請求項５のいずれか１項に記載の自転車運搬具と、
この自転車運搬具の一対の連結部がサイドフレームの上辺に連結されるカゴ台車と
を備える自転車運搬装置。
【発明の詳細な説明】
【技術分野】
【０００１】
本発明は、自転車運搬具又は自転車運搬装置に関し、詳細には、省スペース性、低コスト性及び省資源性の要求を満たして手軽に自転車を運搬するための自転車運搬具又は自転車運搬装置に関するものである。
【背景技術】
【０００２】
今日では、自転車自体が安価になってきていることもあり、自転車の運搬コストについては、可能な限り削減したい現状がある。また、地球環境を考えた場合には、使い回しの利きにくい容器等は避けた方が良い。
【０００３】
ここで、従来の自転車の運搬装置としては、（１）自転車を１台ずつ個別の段ボールに収納した上で運搬器具に積載させて運搬するものや（特開２００３−３２１０８２号参照）、（２）２台の自転車を走行姿勢で固定して運搬する台車（特開２００４−２１０２４８号参照）、（３）トラックの車体に自転車専用積み込みユニットボックスを据え付けて運搬するもの（特開２００５−２０６１２７号参照）等が存在している。
【０００４】
上記従来の運搬装置（１）では、自転車ごとに段ボールが必要となるので段ボールのためのコストがかかり、また自転車を段ボールから出し入れすることについても手間がかかる。上記運搬装置（２）については、１台で２台の自転車を運搬することができるが、自転車を走行姿勢で運搬するものなので、スペースを多く占有することになり運搬効率が低い。上記運搬装置（３）では、一度に同種の自転車を大量に運搬することができるが、複数種の自転車を小ロットずつ複数の箇所に運搬するのには不適当である。
【特許文献１】特開２００３−３２１０８２号公報
【特許文献２】特開２００４−２１０２４８号公報
【特許文献３】特開２００５−２０６１２７号公報
【発明の開示】
【発明が解決しようとする課題】
【０００５】
本発明はこれらの不都合に鑑みてなされたものであり、段ボール等消耗品の個別包装を使用することなく複数回使用でき、また１台の運搬装置で１台又は複数台の自転車を手軽に運搬でき、ひいては省スペース性、低コスト性及び省資源性に優れている自転車運搬具又は自転車運搬装置の提供を目的とするものである。
【課題を解決するための手段】
【０００６】
上記課題を解決するためになされた発明は、
カゴ台車のサイドフレームの上辺に連結する一対の連結部と、
この一対の連結部間に架け渡される架橋バーと、
この架橋バーから垂下し、自転車のリムに掛合可能な１又は複数の掛合フックと
を備える自転車運搬具である。
【０００７】
当該自転車運搬具は、架橋バーの左右一対の連結部によってカゴ台車のサイドフレームの上辺に連結することができる。このようにカゴ台車上部に取り付けた状態で架橋バーから垂下する１又は複数の掛合フックに自転車の前輪又は後輪のリムを掛合させることで、カゴ台車に１又は複数の自転車を略鉛直状態で収納することができる。このとき、自転車の重心が前輪及び後輪の中心を結ぶ線よりサドル側にあるため、収納した自転車の前輪及び／又は後輪をカゴ台車のフレームに当接させることで前輪及び／又は後輪の当接方向に力が作用し、カゴ台車に収納した自転車が安定する。このように、当該自転車運搬具によれば、既存のカゴ台車又は専用のカゴ台車を用い、１又は複数の自転車を手軽にかつ効率よく運搬することができ、運搬の省スペース性、低コスト性及び省資源性を向上することができる。また、当該自転車運搬具は、一般用、スポーツ用、大人用、子供用などの大きさや形状の異なる自転車にも対応可能であり、従来の運搬装置のように自転車の形状等の種類ごとに用意する必要はなくなる。
【０００８】
当該自転車運搬具の架橋バーは、
一対の連結部から上方に伸びる一対の垂直部と、
この一対の垂直部に架け渡される水平部と
を有していると良い。これにより、カゴ台車の高さだけでは対応できない大きなサイズの自転車であっても運搬することができる。
【０００９】
当該自転車運搬具の連結部は、直線状に配設され、下側からカゴ台車のサイドフレームの上辺が挿入可能な一対の逆Ｕ字溝体を有し、上記架橋バーの両端部が二又に分かれ、一対の逆Ｕ字溝体に結合されると良い。これにより、カゴ台車に対して当該運搬具が安定的に連結され、自転車運搬時に当該運搬具がぐらつくことを抑制することができる。
【００１０】
当該運搬具の掛合フックは、架橋バーに対して、軸方向にスライド可能に構成すると良い。これにより、幅の異なる自転車であっても、掛合フック間の間隔を調整することで効率的に運搬することができる。
【００１１】
当該自転車運搬具の掛合フックは、エラストマー材料で被覆されると良い。エラストマー材料で被覆されることで掛合フックが弾性変形能を有することになるので、掛合フックをリムに掛合してもリムの損傷を低減することができる。
【００１２】
従って、当該自転車運搬具と、当該自転車運搬具の一対の連結部がサイドフレームの上辺に連結されたカゴ台車とを備える自転車運搬装置は、省スペース性、低コスト性、省資源性の要求を満たしつつ、手軽に１台又は複数台の自転車を運搬することができる。
【発明の効果】
【００１３】
以上説明したように、本発明の自転車運搬具又は自転車運搬装置によると、一度に１台又は複数台の自転車を省スペースで手軽に運搬することが可能であり、また、従来のように段ボールを使用しないので低コスト性及び省資源性の要求も満たすことができる。
【発明を実施するための最良の形態】
【００１４】
以下、適宜図面を参照しつつ本発明の実施の形態を詳説する。図１は本発明の一実施形態に係る自転車運搬具を示す模式的平面図、図２は図１の自転車運搬具の模式的正面図、図３は図1の自転車運搬具とは異なる形態に係る自転車運搬具を示す模式的正面図、図４は図３の自転車運搬具の模式的側面図、図５は図１の自転車運搬具を備えた自転車運搬装置を示す模式的正面図、図６は図５の自転車運搬装置のＡ−Ａ断面図である。
【００１５】
図１及び図２の自転車運搬具１は、一対の連結部２、架橋バー３及び掛合フック４を備えている。
【００１６】
一対の連結部２は、カゴ台車のサイドフレームの上辺に連結するものである。各連結部２は、具体的には一対の逆Ｕ字溝体５を有している。この一対の逆Ｕ字溝体５は、直線状に配設され、下側からカゴ台車のサイドフレームの上辺が挿入可能な半割円筒状に形成されている。
【００１７】
架橋バー３は、棒状体であり、一対の連結部２の間に架け渡される。架橋バー３の両端部は二又に分かれ、その二又の先端がそれぞれ一対の逆Ｕ字溝体５に結合されている。
【００１８】
掛合フック４は、鉤状（Ｊ字状）に形成され、架橋バー３から垂下している。具体的には、掛合フック４は、スライド機構６を介して架橋バー３に連結されている。このスライド機構６は、架橋バー３に外嵌する円筒体７と、この円筒体７の側壁に螺入するボルト８を備えている。この円筒体７の下面に掛合フック４が回動自在に突設されている。このスライド機構６により、掛合フック４は架橋バー３の軸方向にスライド可能に構成されている。掛合フック４の個数は、特に限定されず、１又は複数備えることができ、図１及び図２においては３個備えている。
【００１９】
掛合フック４はエラストマー材料で被覆されている。このエラストマー材料としては、ゴム又は熱可塑性エラストマーが用いられる。このゴムとしては、例えば、天然ゴム、ポリイソプレン、ポリブタジエン、スチレン−ブタジエン共重合体、アクリロニトリル−ブタジエン共重合体、エチレン−プロピレン−ジエン共重合体、ポリクロロプレン、エチレン−プロピレン共重合体、イソブチレン−イソプレン共重合体、シリコーンゴム等が用いられる。また、熱可塑性エラストマーとしては、例えば、ポリ塩化ビニル系熱可塑性エラストマー、スチレン系熱可塑性エラストマー、オレフィン系熱可塑性エラストマー、エステル系熱可塑性エラストマー、ウレタン系熱可塑性エラストマー、アミド系熱可塑性エラストマー、フッ素系熱可塑性エラストマー等が用いられる。中でも、掛合フック４を形成するエラストマー材料としては、ポリ塩化ビニル系熱可塑性エラストマーが好ましい。ポリ塩化ビニル系熱可塑性エラストマーは、成形性、耐熱性、耐候性、耐油性、耐薬性、耐オゾン性などポリ塩化ビニルの特徴を有しており、加えて優れたゴム特性を有しているので、自転車のリムに掛合してもリムの損傷を低減することができると共に、長期に渡って使用することができる。
【００２０】
掛合フック４については、スライド機構６をスライドさせることで間隔を調整することができるが、掛合フック４の間隔を掛合する自転車の幅に適した長さに調整することで、幅の異なる自転車であっても効率的に運搬することができる。尚、スライド機構６は、ボルト８を緩めることで軸方向にスライド可能となり、ボルト８を締めることで架橋バー３に固定される。
【００２１】
当該自転車運搬具１の形成材料としては、自転車を懸架できる強度を有すれば特に限定されないが、例えば、鉄、鋼、ステンレス鋼、銅合金、アルミニウム合金等の金属材料やポリカーボネート等のエンジニアリングプラスチックが好適に用いられる。
【００２２】
当該自転車運搬具１は、掛合フック４に自転車の前輪又は後輪のリムを掛合させてカゴ台車に１又は複数の自転車を略鉛直状態で収納することができる。このとき、自転車の重心は前輪及び後輪の中心を結ぶ線よりサドル側にあるため、収納した自転車の前輪及び／又は後輪をカゴ台車のフレームに当接する状態で保持することで、前輪及び／又は後輪の当接方向に力が作用し、カゴ台車に収納した自転車が安定する。
【００２３】
また、当該自転車運搬具１は、一対の逆Ｕ字溝体５の下側にカゴ台車のサイドフレーム上辺を挿入することでカゴ台車に対して確実に固定される。加えて、当該自転車運搬具１は、架橋バー３が二又に分かれているので、カゴ台車が振動した場合でも、自転車運搬具１のカゴ台車に対するがたつきを抑えることがでる。その結果、当該自転車運搬具１は、汎用性のカゴ台車を利用し、省スペース性、低コスト性を図りつつ、安定して自転車を運搬することができる。
【００２４】
図３及び図４の自転車運搬具１１は、連結部２、架橋バー１２及び掛合フック４を備えている。連結部２及び掛合フック４は、上記図１の自転車運搬具１と同様であるため、同一番号を付して説明を省略する。
【００２５】
架橋バー１２は、棒状体であり、一対の連結部２から上方に伸びる一対の垂直部１３及びこの一対の垂直部１３の間に架け渡される水平部１４を備えている。このように、当該自転車運搬具１１は、一対の垂直部１３を備えることで、掛合フック４の高さが大きくなり、カゴ台車の高さだけでは対応できない大きなサイズの自転車であっても運搬することができる。
【００２６】
図５及び図６の自転車運搬装置２１は、自転車運搬具１と、カゴ台車２２とを備えている。自転車運搬具１については、上記図１の自転車運搬具１と同様であるため、同一番号を付して説明を省略する。
【００２７】
カゴ台車２２は、一般的には、台板２３と、台板２３の下面四隅に付設される４個のキャスター２４と、台板２３の対偶する側縁部に立設される一対のサイドフレーム２５と、台板２３の後縁部に立設されるバックフレーム２６とを備えている。また、台板２３の前縁部上方にはサイドフレーム２５の側辺中央付近に一端を連結されたフロントパイプ２７を懸架自在に備えている。尚、このカゴ台車２２は、汎用のものを用いても良いし、自転車の搬送に好適な構造を有する当該自転車運搬装置専用のものを独自に作製しても良い。
【００２８】
サイドフレーム２５及びバックフレーム２６は台板２３の上方から見てコ字状に組み立てられており、カゴが構成されている。サイドフレーム２５及びバックフレーム２６は、縦骨材２８と横骨材２９とを格子状に組み合わせて構成されている。
【００２９】
当該自転車運搬具１は、その左右の連結部２の有する一対の逆Ｕ字溝体５をカゴ台車２２の一対のサイドフレーム２５の上辺に上方から嵌合するように着脱可能に取り付けられている。
【００３０】
当該自転車運搬装置２１は、自転車Ｘ１、自転車Ｘ２及び自転車Ｘ３を、前輪又は後輪のリムを掛合フック４に掛合し、前輪及び後輪をカゴ台車２２のバックフレーム２６に当接する状態で保持・収納している。また、自転車Ｘ１、自転車Ｘ２及び自転車Ｘ３の重心が前輪及び後輪の中心を結ぶ線よりもサドル側に存在するため、当該自転車運搬装置２１は、各自転車の前輪及び後輪の当接方向に力を作用させることができ、自転車Ｘ１、自転車Ｘ２及び自転車Ｘ３を安定的に保持することができる。
【００３１】
自転車Ｘ１のハンドルＭ１、自転車Ｘ２のハンドルＭ２及び自転車Ｘ３のハンドルＭ３は、それぞれ走行時姿勢と比較して略９０度の角度で回転固定されている。これにより、自転車Ｘ１、自転車Ｘ２及び自転車Ｘ３の専有幅が狭くなるので、当該自転車運搬装置２１は、自転車Ｘ１、自転車Ｘ２及び自転車Ｘ３をカゴ台車２２に効率よく収納できる。
【００３２】
更に、当該自転車運搬装置２１は、自転車Ｘ１、自転車Ｘ２及び自転車Ｘ３をそれぞれ隣接する自転車に対して上下逆向きに収納することで、互いのバスケットが接触することを防止することができ、自転車Ｘ１、自転車Ｘ２及び自転車Ｘ３をカゴ台車内に効率よく収納することができる。
【００３３】
当該自転車運搬装置２１は、自転車Ｘ１、自転車Ｘ２及び自転車Ｘ３がそれぞれ掛合フック４に掛合された状態で、下端部が台板２３と抵触しないように保持しているので、自転車Ｘ１、自転車Ｘ２及び自転車Ｘ３の下端部が台板２３と抵触して損傷するのを回避することができる。
【００３４】
当該自転車運搬装置２１は、自転車Ｘ１、自転車Ｘ２及び自転車Ｘ３の前輪及び後輪をバックフレーム２６の格子状の開口部に入るように収納することで、自転車Ｘ１、自転車Ｘ２及び自転車Ｘ３を隣り合う縦骨材２８の間で安定的に保持することができる。
【００３５】
また、当該自転車運搬装置２１は、自転車運搬時に急な衝撃を受けた場合であっても、フロントパイプ２７を懸架しておくことで、自転車Ｘ１、自転車Ｘ２及び自転車Ｘ３がカゴ台車２２からはみ出すことを防止することができる。
【００３６】
更に、当該自転車運搬装置２１は、カゴ台車２２の台板２３の下面四隅に付設されたキャスター２４により、いずれの方向に対しても路面上を安定した姿勢で走行することができる。
【００３７】
尚、本発明は上記態様の他、種々の変更、改良を施した態様で実施することができる。例えば、連結部２は、一対の逆Ｕ字溝体５の側部に穿設されるネジ孔と、このネジ孔に螺合する止めネジとを備え、止めネジのネジ孔への螺入によってカゴ台車のサイドフレームを押止し、当該自転車運搬具１のカゴ台車からの脱落を防止しても良い。また、連結部２は、一対の逆Ｕ字溝体５の溝を深くして、この逆Ｕ字溝体５の対偶する側壁に連通する貫通孔とこの貫通孔に挿入可能なボルト及びナットとを備え、逆Ｕ字溝体５にカゴ台車のサイドフレームを挿入した状態で貫通孔にボルトを通し、このボルトにナットを締結することで、当該自転車運搬具１のカゴ台車からの脱落を防止しても良い。さらに、連結部２としては、当該自転車運搬具１をカゴ台車のサイドフレームの上辺に固定できるものであって、掛合フック４に自転車を掛合して運搬するに際して当該自転車運搬具１がぐらつかない構造であれば良く、例えば一対のフック状の連結部をカゴ台車のサイドフレームの上辺に係合するものであっても良いし、更にフック本体の開口部をストッパー片で閉じるものであっても良い。また、掛合フック４は、スライド機構６を介さず直接架橋バー３に溶接等されても良い。
【００３８】
架橋バー３については、軸方向に伸縮自在の構造とすることも可能であり、この場合の伸縮機構としては、架橋バー３を主軸管及び主軸管の内壁面に摺動可能に接している摺動管からなる構造とし、主軸管及び摺動管が適当な長さになった状態で、主軸管に設けたネジ挿通孔にネジを螺入して摺動管を締着するもの等が考えられる。こうすることで、カゴ台車のサイズに応じて架橋バー３の長さを変更することができるようになり、当該自転車運搬具１を複数サイズのカゴ台車に対応させることができる。
【００３９】
更に、架橋バー１２については、水平方向だけでなく鉛直方向にも伸縮自在の構造とすることが可能である。この場合の伸縮機構は、上記架橋バー３と同様の機構等が考えられる。こうすることで、カゴ台車のサイズに応じて水平部１４の長さを変更することができると共に、垂直部１３を鉛直方向に伸長することで、大きなサイズの自転車にも対応できるようになる。
【産業上の利用可能性】
【００４０】
以上のように、本発明の自転車運搬具又は自転車運搬装置は、納品用自転車を段ボール等の消耗品を使用することなく運搬することができ、低コスト性、省資源性の要求を満たしつつ、省スペースで手軽に自転車を運搬するのに適している。
【図面の簡単な説明】
【００４１】
【図１】本発明の一実施形態に係る自転車運搬具を示す模式的平面図
【図２】図１の自転車運搬具の模式的正面図
【図３】図１の自転車運搬具とは異なる形態に係る自転車運搬具を示す模式的正面図
【図４】図３の自転車運搬具の模式的側面図
【図５】図１の自転車運搬具を備えた自転車運搬装置を示す模式的正面図
【図６】図５の自転車運搬装置のＡ−Ａ断面図
【符号の説明】
【００４２】
１  自転車運搬具
２  連結部
３  架橋バー
４  掛合フック
５  逆Ｕ字溝体
６  スライド機構
７  円筒体
８  ボルト
１１  自転車運搬具
１２  架橋バー
１３  垂直部
１４  水平部
２１  自転車運搬装置
２２  カゴ台車
２３  台板
２４  キャスター
２５  サイドフレーム
２６  バックフレーム
２７  フロントパイプ
２８  縦骨材
２９  横骨材
Ｘ１  自転車
Ｘ２  自転車
Ｘ３  自転車
Ｍ１  ハンドル
Ｍ２  ハンドル
Ｍ３  ハンドル
【図１】
2010095122.tif 000003
【図２】
2010095122.tif 000004
【図３】
2010095122.tif 000005
【図４】
2010095122.tif 000006
【図５】
2010095122.tif 000007
【図６】
2010095122.tif 000008